(57)【要約】【課題】顧客の好みに合わせたチラシを表示することができるチラシ端末およびチラシ配信システムを提供する。【解決手段】外部から、チラシデータを受信して表示するチラシ端末４であって、チラシデータを加工するためのカスタマイズ情報を、予め設定しておくカスタマイズ情報設定部６５と、外部から、チラシデータを受信するチラシデータ受信部５７と、受信したチラシデータを、カスタマイズ情報に基づいて加工するチラシデータ加工部６８と、加工されたチラシデータを表示する表示部７２と、を備えた。【選択図】図３
2010191140.tif 000002
【特許請求の範囲】
【請求項１】
外部から、チラシデータを受信して表示するチラシ端末であって、
前記チラシデータを加工するためのカスタマイズ情報を、予め設定しておくカスタマイズ情報設定部と、
前記外部から、前記チラシデータを受信するチラシデータ受信部と、
受信した前記チラシデータを、前記カスタマイズ情報に基づいて加工するチラシデータ加工部と、
加工された前記チラシデータを表示する表示部と、を備えたことを特徴とするチラシ端末。
【請求項２】
前記カスタマイズ情報は、商品カテゴリを示す情報であり、
前記チラシデータ加工部は、
前記チラシデータに含まれる商品のうち、設定された前記商品カテゴリに該当する商品を拡大表示することを特徴とする請求項１に記載のチラシ端末。
【請求項３】
前記チラシデータに含まれる人物の顔画像を認識する画像認識部をさらに備え、
前記カスタマイズ情報は、任意の顔画像であり、
前記チラシデータ加工部は、
前記チラシデータの前記人物の顔画像を、設定された前記任意の顔画像に置き換えて表示することを特徴とする請求項１または２に記載のチラシ端末。
【請求項４】
特定の前記チラシデータを抽出するための抽出条件を設定する抽出条件設定部と、
設定された前記抽出条件に基づいて、受信した前記チラシデータの中から該当する前記チラシデータを抽出するチラシデータ抽出部と、をさらに備え、
前記表示部は、
抽出された前記チラシデータを表示することを特徴とする請求項１ないし３のいずれか１項に記載のチラシ端末。
【請求項５】
所定の商品を指定する商品指定部と、
指定した前記商品を販売する店舗の表示順序を決定するための所定の条件を設定する条件設定部をさらに備え、
前記表示部は、
設定した前記所定の条件に基づいて決定した前記表示順序に従って、指定した前記商品を販売する店舗を表示することを特徴とする請求項１ないし４のいずれか１項に記載のチラシ端末。
【請求項６】
前記商品指定部により指定した前記所定の商品の商品価格を取得する商品価格取得部と、
前記所定の商品の商品価格を不揮発に記憶する価格記憶部と、
記憶した前記所定の商品の商品価格に基づいて、前記所定の商品の価格推移をグラフ化するグラフ生成部と、をさらに備え、
前記表示部は、
生成されたグラフを表示することを特徴とする請求項５に記載のチラシ端末。
【請求項７】
前記グラフに基づいて、受信した前記チラシデータに含まれる前記所定の商品の商品価格が、当該所定の商品の価格推移の中で底値となったことを報知する報知部をさらに備えたことを特徴とする請求項６に記載のチラシ端末。
【請求項８】
請求項１ないし７のいずれか１項に記載のチラシ端末と、
前記チラシ端末に対して、前記チラシデータを送信するチラシ配信サーバーと、を備えたことを特徴とするチラシ配信システム。
【発明の詳細な説明】
【技術分野】
【０００１】
本発明は、電子化された折込みチラシを表示するチラシ端末およびチラシ配信システムに関するものである。
【背景技術】
【０００２】
従来、折込みチラシ（以下、単に「チラシ」を称す。）をデータ化し、これをインターネットを介して顧客（チラシの配信希望者）に配信するチラシの電子配信システムが知られている。このシステムは、チラシの作成・配信を行う処理サーバー、チラシの作成依頼を行う依頼主側端末およびチラシを閲覧する顧客側端末により構成されている。処理サーバーは、依頼主側端末から送信されたチラシの情報（文字や画像）に基づいてチラシを作成する。そして、作成したチラシを、依頼主が指定した配信希望地域に一致する住所の顧客、または依頼主が指定した配信希望地域と顧客が希望する配信希望地域とが一致する顧客に対して配信する（例えば、特許文献１参照）。
【先行技術文献】
【特許文献】
【０００３】
【特許文献１】特開２００３−１９６５４２号公報
【発明の概要】
【発明が解決しようとする課題】
【０００４】
ところで、上記のチラシは、配信希望地域が同じ顧客に対しては同一の内容のチラシが送られてくる。しかしながら、顧客毎に興味の対象は異なるため、一辺倒の情報のチラシの提供では、必ずしも個々の顧客のニーズを満たすことができないという問題がある。
【０００５】
本発明は、上記の問題に鑑みたものであり、顧客の好みに合わせたチラシを表示することができるチラシ端末およびチラシ配信システムを提供することを目的とする。
【課題を解決するための手段】
【０００６】
本発明のチラシ端末は、外部から、チラシデータを受信して表示するチラシ端末であって、チラシデータを加工するためのカスタマイズ情報を、予め設定しておくカスタマイズ情報設定部と、外部から、チラシデータを受信するチラシデータ受信部と、受信したチラシデータを、カスタマイズ情報に基づいて加工するチラシデータ加工部と、加工されたチラシデータを表示する表示部と、を備えたことを特徴とする。
【０００７】
この構成によれば、顧客が設定したカスタマイズ情報に基づいてチラシデータを加工し、加工したチラシデータを表示することができる。これにより、個々の顧客のニーズに合ったチラシを表示（提供）することができる。
【０００８】
本発明のチラシ端末において、カスタマイズ情報は、商品カテゴリを示す情報であり、チラシデータ加工部は、チラシデータに含まれる商品のうち、設定された商品カテゴリに該当する商品を拡大表示することが好ましい。
【０００９】
この構成によれば、設定された商品カテゴリに該当する商品を拡大表示する。これにより、顧客の興味のある商品を目立たせて表示することができるため、顧客にとって見易いチラシを提供することができる。
【００１０】
本発明のチラシ端末において、チラシデータに含まれる人物の顔画像を認識する画像認識部をさらに備え、カスタマイズ情報は、任意の顔画像であり、チラシデータ加工部は、チラシデータの人物の顔画像を、設定された任意の顔画像に置き換えて表示することが好ましい。
【００１１】
この構成によれば、例えば、衣料や装飾品のモデルの顔を自分の顔に置き換えて表示することができる。これにより、その服や装飾品が実際に自分に似合うか否かをチラシで判断でき、利便性が良い。
【００１２】
本発明のチラシ端末において、特定のチラシデータを抽出するための抽出条件を設定する抽出条件設定部と、設定された抽出条件に基づいて、受信したチラシデータの中から該当するチラシデータを抽出するチラシデータ抽出部と、をさらに備え、表示部は、抽出されたチラシデータを表示することが好ましい。
【００１３】
この構成によれば、例えば、自宅から所定の距離にある店のチラシデータや顧客の興味のある商品が掲載されたチラシデータ、あるいは特定の商品の金額が所定の範囲内の金額であるチラシデータのみを表示することができる。つまり、顧客は希望する内容のチラシデータのみを表示することができ、結果として、顧客にとって有用なチラシデータを提供することができる。
【００１４】
本発明のチラシ端末において、所定の商品を指定する商品指定部と、指定した商品を販売する店舗の表示順序を決定するための所定の条件を設定する条件設定部をさらに備え、表示部は、設定した所定の条件に基づいて決定した表示順序に従って、指定した商品を販売する店舗を表示することが好ましい。
【００１５】
この構成によれば、指定した商品を販売する店舗を、所定の条件に従った表示順序で表示できる。例えば、ある商品を販売する店舗を、当該商品の金額が安い順（あるいは高い順）に一覧表示したり、または、その商品を販売する店舗を、自宅からの距離が近い順に一覧表示したりすることができるため、顧客は必要とする商品を何処で購入するかの判断が容易にでき、利便性が良い。
【００１６】
本発明のチラシ端末において、商品指定部により指定した所定の商品の商品価格を取得する商品価格取得部と、所定の商品の商品価格を不揮発に記憶する価格記憶部と、記憶した所定の商品の商品価格に基づいて、所定の商品の価格推移をグラフ化するグラフ生成部と、をさらに備え、表示部は、生成されたグラフを表示することが好ましい。
【００１７】
この構成によれば、商品の価格推移をグラフで表示することで、顧客は、一目で商品の価格推移を把握することができ、利便性が良い。
【００１８】
本発明のチラシ端末において、グラフに基づいて、受信したチラシデータに含まれる所定の商品の商品価格が、当該所定の商品の価格推移の中で底値となったことを報知する報知部をさらに備えたことが好ましい。
【００１９】
この構成によれば、商品が底値になったことを報知するため、顧客はその商品の買い時を知ることができる。なお、報知の手段は、音声でも良いし、画面上にその旨を表示するようにしても良い。
【００２０】
本発明のチラシ配信システムは、上記に記載のチラシ端末と、チラシ端末に対して、チラシデータを送信するチラシ配信サーバーと、を備えたことを特徴とする。
【００２１】
この構成によれば、チラシ配信サーバーからチラシデータを受信し、当該チラシデータを加工して個々の顧客のニーズに合ったチラシデータを表示することができるチラシ配信システムを提供することができる。
【図面の簡単な説明】
【００２２】
【図１】本実施形態に係るチラシ配信システムのシステム構成図である。
【図２】チラシ配信システムの各構成要素の制御ブロック図である。
【図３】チラシ配信システムの各構成要素の機能ブロック図である。
【図４】所定条件に基づいた表示順序に従って、商品を表示する一例を示す図である。
【図５】商品の価格推移のグラフを示す図である。
【図６】対象となる商品を拡大表示する一例を説明する図である。
【図７】チラシの顔画像を置き換えて表示する一例を説明する図である。
【発明を実施するための形態】
【００２３】
以下、添付の図面を参照して、本実施形態に係るチラシ端末およびチラシ配信システムについて説明する。本実施形態に係るチラシ配信システムは、電子化されたチラシを、当該チラシの配信対象者に配信するシステムである。
【００２４】
図１に示すように、本発明のチラシ配信システム１は、チラシデータ（チラシ）の配信を希望する広告主側（事業主側）に設置されたチラシ依頼用端末２と、チラシデータの配信サービスを提供する会社に設置されたチラシ配信サーバー３と、チラシデータの配信契約を結んだ顧客側に設置されたチラシ端末４と、により構成され、これらはネットワークＮＴ（インターネット）を介して接続されている。
【００２５】
なお、図１では、チラシ配信サーバー３に接続されるチラシ依頼用端末２およびチラシ端末４が何れも３台の場合を示しているが、チラシの配信サービスの契約を結んでいる広告主および顧客の端末であれば良く、その台数は限定されない。また、請求項におけるチラシ配信システム１は、チラシ配信サーバー３およびチラシ端末４を構成要素とするものである。
【００２６】
チラシ依頼用端末２は、チラシ配信サーバー３に対して、顧客へのチラシデータの配信を依頼（委託）するための端末である。チラシ依頼用端末２では、当該広告主が扱う商品等のチラシデータを作成し、これを配信対象とする顧客の属性情報等の各種情報（詳細は後述）と共にチラシ配信サーバー３へ送信する。
【００２７】
チラシ配信サーバー３は、チラシ依頼用端末２からの配信依頼に基づき、チラシデータを顧客に配信するサーバーである。チラシ配信サーバー３では、チラシデータの属性情報と一致する属性情報を有する顧客のチラシ端末４に対して、そのチラシデータの配信を行う。
【００２８】
チラシ端末４は、チラシ配信サーバー３からチラシデータを受信し、これを表示するためのものである。このチラシ端末４では、受信したチラシデータを個々の顧客に合わせて加工して表示することができる（詳細は後述する）。
【００２９】
次に、図２の制御ブロック図を参照して、チラシ配信システム１の各構成要素の制御構成について説明する。
【００３０】
チラシ依頼用端末２は、制御部１１、ＨＤＤ１２（Hard Disk Drive）、通信部１３の他、一般的なパーソナルコンピューターに搭載されるハードウェア構成を有している。制御部１１は、ＣＰＵ１５（Central Processing Unit）は、ＲＯＭ１６（Read Only Memory）、ＲＡＭ１７（Random Access Memory）を有し、チラシ依頼用端末２全体を制御する。ＲＯＭ１６は、ＣＰＵ１５が各種処理を実行するための制御プログラムや制御データを記憶する。また、ＲＡＭ１７は、ＣＰＵ１５が各種処理を実行する際の作業領域として利用される。
【００３１】
ＨＤＤ１２は、チラシデータ記憶領域１８を有している。チラシデータ記憶領域１８には、配信対象となるチラシデータ（広告主の名称（店舗名）、および広告主の所在地（店舗所在地）を含む）、チラシデータに含まれる（チラシに掲載されている）各商品に関する情報（商品カテゴリ、商品名、および金額等。以下、「商品情報」と称す。）、チラシデータの有効期間情報、およびチラシデータの配信対象となる顧客の属性情報（性別、年齢、職業、家族構成等）が、関連付けて記憶されている。
【００３２】
通信部１３は、チラシ配信サーバー３に対し、配信対象となるチラシデータを送信するための通信手段として機能する。この時、チラシデータに、その商品情報、有効期間情報、および属性情報（以下、これらをまとめて「付属情報」と称す。）を付加して送信する。
【００３３】
チラシ配信サーバー３は、制御部２１、ＨＤＤ２２、通信部２３の他、一般的なパーソナルコンピューターに搭載されるハードウェア構成を有している。制御部２１は、ＣＰＵ２５、ＲＯＭ２６、ＲＡＭ２７を有し、チラシ配信サーバー３全体を制御する。ＲＯＭ２６は、ＣＰＵ２５が各種処理を実行するための制御プログラムや制御データを記憶する。また、ＲＡＭ２７は、ＣＰＵ２５が各種処理を実行する際の作業領域として利用される。
【００３４】
ＨＤＤ２２は、顧客情報データベース２８を有している。顧客情報データベース２８には、チラシデータの配信を希望する各顧客の顧客情報が登録されている。この顧客情報は、住所、氏名、チラシデータの送信先情報、および顧客の属性情報（性別、年齢、職業、家族構成等）から成る。
【００３５】
通信部２３は、チラシ依頼用端末２と通信を行うための通信手段として機能する。ＣＰＵ２５は、通信部２３介して、チラシ依頼用端末２から配信対象となるチラシデータおよび付属情報を受信する。
【００３６】
また、通信部２３は、チラシ端末４と通信を行う通信手段としても機能する。ＣＰＵ２５は、チラシ依頼用端末２から受信した属性情報（付属情報）と、顧客情報データベース２８に登録されている顧客の属性情報と、に基づき、これら属性情報が一致する顧客に対してのみ、チラシデータ、有効期間情報、商品情報、および顧客の自宅から店舗までの距離情報を送信する。なお、この距離情報は、店舗所在地および顧客の住所に基づいて算出する。
【００３７】
チラシ端末４は、制御部３１、ＨＤＤ３２、通信部３３、時計部３４、入力部３５、および表示部３６を有している。制御部３１は、ＣＰＵ４１、ＲＯＭ４２、ＲＡＭ４３を有し、チラシ端末４全体を制御する。ＲＯＭ４２は、ＣＰＵ４１が各種処理を実行するための制御プログラムや制御データを記憶する。また、ＲＡＭ４３は、ＣＰＵ４１が各種処理を実行する際の作業領域として利用される。
【００３８】
通信部３３は、チラシ配信サーバー３と通信を行うための通信手段として機能する。ＣＰＵ４１は、通信部３３を介して、チラシ配信サーバー３からチラシデータ、有効期間情報、商品情報および距離情報を受信する。
【００３９】
ＨＤＤ３２は、チラシデータ記憶領域４５、顔画像記憶領域４６および商品価格記憶領域４７（価格記憶部）を有している。チラシデータ記憶領域４５は、チラシ配信サーバー３から受信したチラシデータ毎に、その有効期間情報、商品情報および距離情報を関連付けて記憶する。一方、顔画像記憶領域４６は、チラシデータを加工する際に用いる顔画像を記憶する。また、商品価格記憶領域４７は、顧客により指定された商品毎に、その商品名、当該商品の所定期間分の商品価格（例えば、各商品に対して、１週間分あるいは１ヶ月分の商品価格）、および当該商品が掲載されているチラシデータの店舗名を関連付けて記憶（蓄積）する。なお、指定された商品が複数のチラシデータに掲載されている場合、これらの中で一番低い商品価格、およびその商品（価格が一番低い商品）が掲載されているチラシデータの店舗名を記憶する。
【００４０】
時計部３４は、所謂ＲＴＣ（Real Time Clock）であり、日時を計測するためのものである。本実施形態では、チラシデータが有効期間内のチラシデータか否かを判別する際に利用される。
【００４１】
入力部３５は、各種情報の入力や設定を行うためのものであり、キーボードやマウスを主要部として構成される。本実施形態では、チラシデータを加工するための情報（商品カテゴリや顔画像など。以下、「カスタマイズ情報」と称す。）の設定や、顧客が希望するチラシデータを抽出するための抽出条件の設定などに用いられる。
【００４２】
表示部３６は、各種情報を表示する手段として機能する。本実施形態では、チラシデータをはじめ、商品の価格推移を示すグラフなどを表示する。
【００４３】
続いて、図３の機能ブロック図を参照して、チラシ配信システム１における各構成要素の機能について説明する。チラシ依頼用端末２は、チラシデータ作成手段５１およびチラシデータ配信依頼手段５２を有している。チラシデータ作成手段５１は、配信対象となるチラシデータの作成を行う。チラシデータ配信依頼手段５２は、チラシ配信サーバー３に対して、配信対象となるチラシデータ（作成したチラシデータ）および付属情報を送信する。
【００４４】
チラシ配信サーバー３は、チラシデータ取得手段５３、配信対象抽出手段５４、距離算出手段５５、およびチラシデータ配信手段５６を有している。チラシデータ取得手段５３は、チラシ依頼用端末２（チラシデータ配信依頼手段５２）から送信されたチラシデータおよび付属情報を取得する。
【００４５】
配信対象抽出手段５４は、チラシ依頼用端末２から取得した付属情報に含まれる属性情報と、顧客情報データベース２８に登録されている顧客の属性情報と、に基づいて、これら属性情報の少なくとも一部が一致する顧客を抽出する。つまり、チラシデータの配信先となる顧客を抽出する。
【００４６】
距離算出手段５５は、広告主の店舗所在地と、配信対象抽出手段５４により抽出した顧客の住所と、に基づき、顧客の自宅から店舗までの距離（距離情報）を算出する。チラシデータ配信手段５６は、配信対象抽出手段５４により抽出した顧客の送信先情報に従って、受信したチラシデータ、付属情報（商品情報と有効期間情報）、および距離算出手段５５により算出した距離情報を送信する。
【００４７】
チラシ端末４は、チラシデータ受信手段５７（チラシデータ受信部）、有効期間判別手段５８、抽出条件設定手段５９（抽出条件設定部）、チラシデータ抽出手段６０（チラシデータ抽出部）、商品指定手段６１（商品指定部）、表示条件設定手段６２（条件設定部）、商品価格取得手段６３（商品価格取得部）、グラフ生成手段６４（グラフ生成部）、カスタマイズ情報設定手段６５（カスタマイズ情報設定部）、チラシデータ加工手段６８（チラシデータ加工部）、画像認識手段７１（画像認識部）、および表示手段７２を有している。
【００４８】
チラシデータ受信手段５７は、チラシ配信サーバー３（チラシデータ配信手段５６）により配信されたチラシデータ、付属情報（商品情報と有効期間情報）、および距離情報を受信する。
【００４９】
有効期間判別手段５８は、受信したチラシデータの有効期間情報と、時計部３４から取得した日時情報とに基づいて、当該チラシデータが有効期間内のものか否かを判別する。そして、有効期間内のチラシデータのみを表示手段７２により表示部３６に表示し、有効期間以外のチラシデータは削除する。
【００５０】
抽出条件設定手段５９は、特定のチラシデータを抽出するための抽出条件を設定する。抽出条件としては、例えば、自宅からの距離、特定の商品（顧客が興味のある商品）などを設定することができる。なお、これらの抽出条件の設定は、顧客がキーボードから直接入力しても良いし、リスト形式の選択肢から選択するようにしても良い（以降の各種情報の指定・設定も同様である）。
【００５１】
チラシデータ抽出手段６０は、抽出条件設定手段５９により設定された抽出条件に一致するチラシデータを抽出する。そして、表示手段７２により、この抽出したチラシデータを表示部３６に表示する。例えば、抽出条件設定手段５９により、抽出条件を「自宅から１ｋｍ以内」と設定することで、チラシデータ抽出手段６０は、チラシデータ受信手段５７により受信した距離情報が、１ｋｍ以内のチラシデータのみを抽出する。このように、顧客が設定した抽出条件に基づいてチラシデータを抽出することで、顧客は希望する内容のチラシデータのみを表示することができ、結果として、顧客にとって有用なチラシデータを提供することができる。
【００５２】
商品指定手段６１は、顧客により特定の商品を指定する手段である。表示条件設定手段６２は、商品指定手段６１により指定された商品について、その商品を販売する店舗の表示順序を決定するための条件を設定する。この条件としては、価格の安い順（高い順）、または自宅からの距離が近い順（遠い順）などを設定することができる。そして、表示手段７２は、設定した条件に基づいて決定した表示順序に従って、指定した商品を表示部３６に表示する。
【００５３】
例えば、図４（ａ）に示すように、指定商品を「サラダ油」とし、価格が安い順に表示するように設定した場合、表示部３６には、「サラダ油」が掲載されているチラシの店舗名および当該店舗でのサラダ油の価格が、価格の安い順に一覧表示される。そして、この一覧の中から１つを選択することで、その店舗のチラシデータを表示する。
【００５４】
また、図４（ｂ）に示すように、指定商品を「サラダ油」とし、自宅からの距離が近い順に表示するように設定した場合、表示部３６には、「サラダ油」が掲載されているチラシの店舗名および当該店舗までの距離が、距離の近い順に一覧表示される。そして、この一覧中から１つを選択することで、その店舗のチラシデータを表示する。このように、指定した商品を価格順または距離順に一覧表示することで、顧客は必要とする商品を何処で購入するかの判断が容易にでき、利便性が良い。
【００５５】
なお、自宅から各店舗までの距離の比較は、チラシ配信サーバー３から受信した距離情報に基づいて行われる。また、上記では、指定した商品について、価格順または距離順に一覧表示しているが、これに限るものではない。
【００５６】
商品価格取得手段６３は、顧客により指定された商品について、同日に受信した全てのチラシデータの中で一番低い商品価格（最低価格）、およびそのチラシデータの店舗名（販売している店舗名）を取得する。この商品価格および店舗名は、商品価格記憶領域４７に所定期間分蓄積される。
【００５７】
グラフ生成手段６４は、商品価格記憶領域４７に蓄積した商品価格に基づいて、その商品の価格推移をグラフ化する。例えば、図５に示すように、対象商品として「バナナ」が指定されていた場合、その１週間（図中では、１／３１から２／６まで）の価格推移を示すグラフＧが表示部３６に表示される。この時、グラフＧには、日ごとの最低価格および販売店舗名が表示される。そして、今日の商品価格（ここでは２／６の商品価格９７円）が１週間を通して底値（最安値）である場合、画面上に「本日は“バナナ”の買い時です！」のように、底値である旨を示すメッセージを表示し、顧客に対して買い時を報知する（報知部）。
【００５８】
このように、商品の価格推移をグラフＧで表示することで、顧客は、一目で商品の価格推移を把握することができ、利便性が良い。また、商品の価格が底値になったことを報知するため、顧客はその商品の買い時を知ることができる。なお、買い時の報知は、上述のように画面上にメッセージを表示しても良いし、あるいは、音声で報知しても良い。
【００５９】
カスタマイズ情報設定手段６５は、チラシデータを加工するためカスタマイズ情報を設定するものであり、商品カテゴリ設定手段６６および顔画像設定手段６７を有している。また、チラシデータ加工手段６８は、カスタマイズ情報設定手段６５により設定されたカスタマイズ情報に基づいてチラシデータの加工を行うものであり、拡大表示手段６９および画像置換手段７０を有している。
【００６０】
商品カテゴリ設定手段６６は、カスタマイズ情報として、拡大表示の対象となる商品カテゴリを設定する。また、拡大表示手段６９は、チラシデータに含まれる商品のうち、商品カテゴリ設定手段６６で設定された商品カテゴリに該当する商品を拡大表示する。
【００６１】
顔画像設定手段６７は、カスタマイズ情報として、任意の顔画像を設定する。この顔画像は、顔画像記憶領域４６に記憶されている顔画像から選択する。画像置換手段７０は、チラシデータに含まれる人物（例えば、衣類のモデル等）の顔画像を、顔画像設定手段６７で設定された顔画像に置き換えて表示する。なお、チラシデータに含まれる人物の顔画像は、画像認識手段７１によって認識される。
【００６２】
ここで、図６を参照して、商品の拡大表示の一例について説明する。図６（ａ）は、カスタマイズ情報（商品カテゴリ）を設定しない場合のチラシデータを表示部３６（チラシ表示領域３６ａ）に表示したものである。この状態で、入力部３５により商品の拡大表示操作（例えば、拡大表示ボタンの押下など）が実行されると、拡大表示手段６９は、予め商品カテゴリ設定手段６６により設定された商品カテゴリ（ここでは商品カテゴリ「果物」）に該当する商品を特定する。そして、この商品カテゴリ「果物」に該当する商品「バナナ」、「リンゴ」および「ミカン」を拡大したチラシデータを表示する（図６（ｂ）参照）。このように、拡大表示することで、顧客の興味のある商品（設定された商品カテゴリに該当する商品）を目立たせて表示することができるため、顧客にとって見易いチラシを提供することができる。
【００６３】
なお、図６（ｂ）では、対象となる商品が掲載されている位置を基準に拡大表示しているが、これに限るものではない。例えば、対象となる商品の掲載位置に拘らず、チラシ表示領域３６ａの中央に拡大表示しても良いし、チラシ表示領域３６ａ全体に拡大表示しても良い。また、図６（ｃ）に示すように、チラシ表示領域３６ａとは別の領域３６ｂに、対象となる商品を並べて拡大表示するようにしても良い。
【００６４】
続いて、図７を参照して、チラシデータの人物の顔画像を置き換えて表示する一例について説明する。図７（ａ）は、カスタマイズ情報（顔画像）を設定しない場合のチラシデータを表示部３６（チラシ表示領域３６ａ）に表示したものである。この状態で、入力部３５により顔画像の置き換え操作（例えば、顔画像置換ボタンの押下など）が実行されると、画像認識手段７１は、表示部３６（チラシ表示領域３６ａ）に表示されているチラシデータの中の人物の顔（顔画像８１）を認識する。続いて、画像置換手段７０は、顔画像記憶領域４６から、予め顔画像設定手段６７により設定された顔画像９１を読み出し、認識した顔画像８１を顔画像９１に置き換えたチラシデータを表示する（図７（ｂ）参照）。
【００６５】
例えば、顔画像設定手段６７により、自分の顔画像を設定しておくことで、衣料や装飾品のモデルの顔を自分の顔に置き換えて表示することができる。これにより、チラシに掲載されている服や装飾品が実際に自分に似合うか否かをチラシで判断でき、利便性が良い。
【００６６】
以上のように、本実施形態によれば、顧客が設定したカスタマイズ情報に基づいてチラシデータを加工し、加工したチラシデータを表示することができる。これにより、個々の顧客のニーズに合ったチラシを表示（提供）することができる。
【００６７】
なお、本実施形態のチラシ端末４は、一般的なパーソナルコンピューターであっても良いし、あるいはチラシを表示するための専用端末であっても良い。
【００６８】
また、上述した実施例によらず、チラシ配信システム１の各構成要素の装置構成や処理工程等について、本発明の要旨を逸脱しない範囲で、適宜変更も可能である。
【符号の説明】
【００６９】
１…チラシ配信システム  ２…チラシ依頼用端末  ３…チラシ配信サーバー  ４…チラシ端末  ４７…商品価格記憶領域  ５７…チラシデータ受信手段  ５９…抽出条件設定手段  ６０…チラシデータ抽出手段  ６１…商品指定手段  ６２…表示条件設定手段  ６３…商品価格取得手段  ６４…グラフ生成手段  ６５…カスタマイズ情報設定手段  ６６…商品カテゴリ設定手段  ６７…顔画像設定手段  ６８…チラシデータ加工手段  ６９…拡大表示手段  ７０…画像置換手段  ７１…画像認識手段  ７２…表示手段
【図１】
2010191140.tif 000003
【図２】
2010191140.tif 000004
【図３】
2010191140.tif 000005
【図４】
2010191140.tif 000006
【図５】
2010191140.tif 000007
【図６】
2010191140.tif 000008
【図７】
2010191140.tif 000009